【手続補正書】
【提出日】平成16年11月18日(2004.11.18)
【手続補正１】
【補正対象書類名】明細書
【補正対象項目名】全文
【補正方法】変更
【補正の内容】
【書類名】      明細書
【発明の名称】  シャッターの錠装置
【特許請求の範囲】
【請求項１】  多数のスラットを連結したシャッターパネルの両側端をガイドレールで保持して昇降させるシャッターであって、このシャッターが、ガイドレール内に固定される係止具と、スラットの一つと代替される錠用スラットの両端に取り付けられ、その長手方向に設定された軸芯の回りを垂直面内で回動し、シャッターパネルが下降するとき係止具を乗り越え、乗り越えるとバネの作用で係止具の下方に回り込んで施錠する係止体と、錠用スラットの係止体の間にその長手方向に設定された軸芯の回りに回動可能に取り付けられ、上方へ回動させると、係止体に作用して係止体を係止具の下方から外して解錠する操作板と、から構成されることを特徴とするシャッターの錠装置。
【請求項２】  係止具が、下り勾配の斜辺部とその下に連なる水平部とからなる側面視三角形をしたものであり、係止体が、錠用スラットの裏面に取り付けられるブラケットで支持される回動軸部と、回動軸部の外側方に形成されて係止具に係脱する係止部と、回動軸部の内側方に形成されて操作板の作用を受ける当接部と、からなるとともに、係止部と当接部とが回動軸部に対してそれぞれクランク状に形成されたものである請求項１のシャッターの錠装置。
【請求項３】  係止具が、長手方向に設けられる係止ピンであり、係止体が、操作板の回動軸である支持軸の回りを回動するフックバーであり、その下端を上り勾配の斜辺部とその上に連なる水平部とに形成するとともに、支持軸に嵌合したボスの部分に突起が形成されたものである請求項１のシャッターの錠装置。
【請求項４】  係止体と操作板とは別体であり、係止体が係止具を乗り越えるときの回動が操作板と無関係に行なわれる請求項１〜３いずれか１項のシャッターの錠装置。
【請求項５】  係止具を上下に複数設けた請求項１〜４いずれか１項のシャッターの錠装置。
【請求項６】  錠用スラットがシャッターパネルの上下中間部に設けられているとともに、スラットが上下に遊び動きをして連結されており、且つ、錠用スラットより下方のスラットには、スラットが延びたときには露出し、縮んだときには隠蔽される通風孔が形成されており、係止体を上方の係止具に係止したときにはこれより下方のスラットが延びて通風孔が露出し、下方の係止具に係止したときにはスラットが縮んで通風孔が隠蔽することを特徴とする請求項５のシャッターの錠装置。
【発明の詳細な説明】
【０００１】
【発明の属する技術分野】
本発明は、住宅の窓等、開口部の外側に設けられるシャッターの錠装置に関するものである。
【０００２】
【従来の技術】
図１９はこの種のシャッターに用いられる一般的な錠装置の裏面図、図２０は要部斜視図であるが、上下に多数連なるスラットａで構成されるシャッターパネルの下端に設けられるボトムスラットｂに、バネで側方側へ弾性付勢されて進退可能な閂状のロックバーｃを取り付け、ロックバーｃをガイドレールｄ等に設けられたロック金具ｅの下にバネの力で突出させることで施錠していた。そして、解錠するには、ロックバーｃの適所に設けられた錠装置ｆの解錠レバーｇを操作してロックバーｃをロック金具ｅから後退させていた。
【０００３】
又、特開平８−１０９７８０号公報には、ボトムスラットにロック金具（ラッチ掛り）に回動して係脱するラッチ体と、この係脱を制御する操作レバーとを取り付け、ラッチ体が下降してラッチ掛りに当接すると、ラッチ体が回動してラッチ掛りに係止して施錠し、操作レバーを操作すると、ラッチ体が元の状態へ戻ろうとする回動を許容して解錠するものが提案されている。
【０００４】
【発明が解決しようとする課題】
前者のものでは、解錠する際、解錠レバーの位置如何によっては、特定の窓や戸をあけなければ操作できないといったことがある。更に、解錠レバーを操作するには、バネの力とロックバーの摺動抵抗とに打ち勝たなければならず、これが意外に力を要するといったことも挙げられる。
【０００５】
後者のものでは、ラッチ体がラッチ掛りに対して非係止状態のとき、ラッチ体を係止待機姿勢に保持する機構が見当たらないことから、ラッチ体が確実にラッチ掛りを中に取り込むことの保証が定かではない。又、ラッチ体を取り付ける座板を中空状としてこの中にラッチ体を取り付けているとともに、ラッチ体に係脱する操作レバーを設けているため、座板の厚みや丈がスラットに比べて大きくなり過ぎ、シャッターパネルの巻き上げ等を考慮すれば、シャッターパネル下端に設置することになる。
【０００６】
加えて、ラッチ体がラッチ掛りを中に取り込むと、操作レバーがバネの力で自動的にこれに作用し、ラッチ体のそれ以上の回動を規制してしまう。従って、ラッチ体はラッチ掛りを乗り越えて下降できず、ラッチ体とラッチ掛りとの組み合わせは各々一つずつとなり、多段階に施錠することは不可能となる。このため、ボトムスラットを途中で止めて施錠するようなことはできない。
【０００７】
ところで、本出願人は、ボトムスラットに設けた錠装置の他に中間錠装置をスラットの上下中間部に設けるとともに、これより下方のスラットに通風孔を形成し、中間錠装置の施錠操作如何によってスラット連結の伸び縮みに対応させて通風孔を出没させる案件を特開平８−０２１１６７号として提案しているが、上記した先行例のものでは、勿論、このような中間錠に用いることはできない。
【０００８】
本発明は、このような課題を解決するものであり、錠装置をシャッターの上下任意の位置に設定でき、且つ、施錠位置も任意の高さに、しかも複数設定できるとともに、構造も簡単で、軽い力で操作できるようにしたものである。
【０００９】
【課題を解決するための手段】
以上の課題の下、本発明は、請求項１に記載した、多数のスラットを連結したシャッターパネルの両側端をガイドレールで保持して昇降させるシャッターであって、このシャッターが、ガイドレール内に固定される係止具と、スラットの一つと代替される錠用スラットの両端に取り付けられ、その長手方向に設定された軸芯の回りを垂直面内で回動し、シャッターパネルが下降するとき係止具を乗り越え、乗り越えるとバネの作用で係止具の下方に回り込んで施錠する係止体と、錠用スラットの係止体の間にその長手方向に設定された軸芯の回りに回動可能に取り付けられ、上方へ回動させると、係止体に作用して係止体を係止具の下方から外して解錠する操作板と、から構成されることを特徴とするシャッターの錠装置を基本的構成として提供するのである。
【００１０】
請求項１の手段をとることにより、即ち、シャッターパネルが下降するときは、係止体は係止具を乗り越えるものであるから、請求項５のように、係止具は何個でも設置できる。従って、開口部の開口高さ（シャッターパネル下端と開口部下端の高さ）を調整できる。又、係止体はバネで常に施錠方向に付勢されているから、施錠が確実なものとなる。勿論、錠用スラットはどの高さに取り付けてもよいから、錠の位置、即ち、操作する位置は任意の高さにできる。
【００１１】
又、請求項４によれば、係止体が係止具の下に回り込む施錠動作のときは係止体だけが動作するものであるから、バネの付勢力は小さくてよく、乗り越え時の抵抗は少なくて済み、操作荷重も軽くて足りる。更に、操作板は、シャッターパネルの長手方向全長に亘って存在するから、長手（左右）方向、どの位置であっても操作できる。
【００１２】
この他、係止体は係止具を乗り越えられるものであるから、係止体（錠用スラット）も何個でも取り付けることができる。従って、一つを最下位に、他を中間部に設けるような、所謂、二重施錠も可能である。そして、中間の錠用スラットより下方のスラットに後述の通風孔を形成しておけば、遮断可能な通風手段を得られる。
【００１３】
又、本発明は、請求項６に記載した、錠用スラットがシャッターパネルの上下中間部に設けられているとともに、スラットが上下に遊び動きをして連結されており、且つ、錠用スラットより下方のスラットには、スラットが延びたときには露出し、縮んだときには隠蔽される通風孔が形成されており、係止体を上方の係止具に係止したときにはこれより下方のスラットが延びて通風孔が露出し、下方の係止具に係止したときにはスラットが縮んで通風孔が隠蔽する手段を提供する。この手段により、スラットに通風孔を形成するだけで、通風孔を出没させて風や光を取り入れたり、遮断したりできる。
【００１４】
【発明の実施の形態】
以下、本発明の実施の形態を図面を参照して説明する。図１はシャッターの錠装置の要部斜視図、図２は要部裏面図、図３は横断面図（図２のＡーＡ断面図、図４はシャッターの裏面図、図５は側面図であるが、シャッターは、薄い金属板からなる多数のスラット１０を連結したシャッターパネル（以下、パネルという）１２を上方のドラム１４に巻き、その両端を断面コ字形をしたガイドレール１６に挿入して保持しているものである。尚、パネル１２の昇降は、手動式のものでは、パネル１２を直接手で持って上下させることになる。このとき、ドラム１４にはバネが組み込まれており（図示省略）、パネル１２の重量をバランスさせてある。
【００１５】
本発明に係る錠装置は、ガイドレール１６内に固定される係止具１８と、スラット１０の一つと代替される錠用スラット２０の両端に取り付けられて特定の動きをして係止具１８に係脱する係止体２２と、同じく錠用スラット２０に取り付けられて係止体２２に協働作用をさせる操作板２４とからなる。
【００１６】
この場合の錠用スラット２０は、上端と下端にはフック体２０ａ、２０ｂが形成されており、上下端に各スラット１０が連結されるものである。そして、その上下丈及び厚さもスラット１０とほぼ同じに設定されている。錠用スラット２０はパネル１２の中間に挿設されることがあるから、当然にドラム１４に巻き取られるが、このときの巻取りをスラット１０と同様にするためである。但し、ある程度の強度が必要であるから、アルミの型材等で製作されるのが好ましい。
【００１７】
係止具１８は、下り勾配の斜辺部１８ａとその下に連なる水平部１８ｂとからなる側面視三角形をしているものであり、ガイドレール１６内にビスや溶接等で固定される。係止体２２は、回動軸部２２ａの両側に係止部２２ｂと当接部２２ｃをクランク状に形成したクランク棒であり、回動軸部２２ａを錠用スラット２０の両端に取り付けられるブラケット２６に長手方向に向けて回動可能に軸着したものである。この場合、係止部２２ｂはガイドレール１６内に延びて係止具１８と重合する関係にしてある。
【００１８】
更に、係止部２２ｂとブラケット２６との間にはコイル形をしたバネ２８がかけられており、このバネ２８で係止部２２ｂは常時錠用スラット２０の裏面側に回動するよう弾性付勢されている。但し、当接部２２ｃが後述する操作板２４に当たった位置が回動限界点であり、このとき、係止部２２ｂは係止具１８の斜辺部１８ａのほぼ中央に位置するように設定されている。
【００１９】
操作板２４は、係止体２２間に設けられるものであり、両端が係止体２２の当接部２２ｃの下側に入り込んで錠用スラット２０に設けられる支持軸３０の回りに回動可能に取り付けてある。
【００２０】
図７〜図１０はこの錠装置の作動状態を示す要部断面図であるが、以上の構成により、パネル１２を引き降ろすと、係止具１８が存在する位置では、係止体２２の係止部２２ｂが係止具１８の斜辺部１８ａに当たる（図７）。しかし、係止部２２ｂは回動軸部２２ａを中心に回動できるから、パネル１２の下降に伴って係止部２２ｂはバネ２８の力に抗して斜辺部１８ａの頂上側に回動し（このとき、操作板２４は回動しない）、ついにこれを乗り越える（図８）。係止部２２ｂが斜辺部１８ａを乗り越えると、バネ２８の力で水平部１８ｂの下方に回り込み、施錠される（図９）。
【００２１】
これにより、パネル１２は、上方へ引き上げられることはない。この場合、錠用スラット２０を設ける位置は任意に設定可能であるから、操作姿勢をどのようにするかによってそれを決めればよい。一般に、錠用スラット２０をパネル１２の上下中間位置に設けておくのがもっとも楽な姿勢で操作できる。又、係止具１８を複数設け、任意のもので施錠するようなこともできる。
【００２２】
図６はこれらの利点を利用するシャッターの裏面図であるが、錠用スラット２０より下方のスラット１０は、上下に遊び動きができるように連結してある。具体的には、上下端をそれぞれフック体１０ａ、１０ｂに形成して上下隣接するものを各々遊びを設けて嵌合しているものであり、上から押さえると縮み、上に引っ張ると延びた状態になるものである。従って、スラット１０のフック体１０ａに通風孔１０ｃを形成しておけば、縮んだときには通風孔１０が隠れ、延びたときには表れるものとなる。
【００２３】
そこで、比較的接近させた位置で上下二つの係止具１８を設けておき、上方の係止具１８で施錠すると、錠用スラット２０から下方のスラット２０が自重で延びて通風孔１０ｃが露出して通風や採光を可能にし、下方の係止具１８で施錠すると、縮んで通風孔１０ｃを露出させないといった仕組みも可能である。
【００２４】
一方、解錠する場合は、操作板２４を手３２によって支持軸３０の回りに上方回動させると、係止部２２ｂは係止具１８をかわす方向に回動するから（図１０）、この状態を維持している限り、パネル１２は上方に引き上げられる。尚、この状態になると操作板２４の回動は規制されるようになっており、操作板２４をそのまま手３２で上に持ち上げて行くことでパネル１２は上方へ引き上げられる、所謂、ワンアクションによって解錠と引上げが可能になるのである。一般に、スラット１０の途中は、手３２で持ち難いから、この機能には意義がある。
【００２５】
次に、パネル１２に風や手による押し等の外力が働くと、撓んでガイドレール１６から外れることがある。そこで、本発明に係る錠装置にこの抜け止めを施すことが考えられる。図１１はその一例を示す要部の斜視図、図１２は断面平面図であるが、本例のものは、係止体２２の係止部２２ｂの先に抜け止め部２２ｄをクランク状に形成し、施錠時、この抜け止め部２２ｄが係止具１８の側面に在るようにしたものである。こうすると、パネル１２が内外に引っ張れられても、抜け止め部２２ｄが係止具１８で規制されて抜け出ない。尚、このような抜け止め部２２ｄを設けたとしても、施錠、解錠には何ら支障ない。
【００２６】
図１３は他の例を示す要部斜視図、図１４は断面平面図であるが、本例のものは、係止体２２の回動軸部２２ａと係止部２２ｂとを繋ぐ腕の部分をガイドレール１６から抜け出せない平板にしてこれを抜け止め部２２ｅとしたものである。こうしても、パネル１２が内外に引っ張れられたとき、係止体２２はガイドレール１６から抜け出すことはない。
【００２７】
図１５も他の例を示す要部斜視図であるが、本例のものは、係止体２２を錠用スラット２０に止めるブラケット２６の端を厚みをもたせて折り曲げたものである。こうしても、ブラケット２６はガイドレール１６から抜け出せない。
【００２８】
図１６も他の例を示す要部斜視図であるが、本例のものは、ガイドレール１６内に突入しているスラット１０に切り起こし１０ｄを設け、この切り起こし１０ｄでスラット１０がガイドレール１６から抜け出るのを防止したものである。
【００２９】
図１７は抜け止めを兼ねた錠装置の変形例を示す要部斜視図、図１８は側面図であるが、本例のものは、係止具１８を、側板１８ｃ間に架設した係止ピン１８ｄで構成し、係止体２２を、支持軸３０の回りを回動するフックバーとしたものである。そして、係止体２２の下端を上り勾配の斜辺部２２ｆとその上に連なる水平部２２ｇとに形成するとともに、支持軸３０に嵌合したボスの部分に突起２２ｈを形成したものである。更に、係止体２２は、板状のバネ２８によって常時係止具１８側に付勢されるようにしてある。
【００３０】
一方、操作板２４は、上述したものとほとんど変わらないが、只、係止体２２の突起２２ｈに当接可能な突起２４ａを形成している点で異なる。以上により、係止体２２が下降して来ると、係止具１８の係止ピン１８ｄに当たるが、その斜辺部２２ｆによって係止体２２はバネ２８の力に逆らって後退してこれを乗り越える。乗り越えると、係止体２２はバネ２８の力で進出し、水平部２２ｇが係止ピン１８ｄの下方に回り込み、施錠される。
【００３１】
このとき、係止体２２は、一定角度往復回動するが、これに設けられる突起２２ｈと操作板２４の突起２４ａとはこのときの回動を許容するような位相関係に設定してある。解錠するには、操作板２４を上方回動するが、そのときは、これに設けられた突起２４ａが係止体２２の突起２２ｈに作用し、係止体２２を係止具１８の係止ピン１８ｄからバネ２８の力に抗して外し、解錠を可能にする。このような構成であれば、係止体２２が係止具１８に係止しての施錠時、係止体２２は係止具１８の側板１８ｃに邪魔されて抜け出せない。
【００３２】
【発明の効果】
以上、本発明によれば、パネルが下降するときは、係止体は係止具を乗り越えるものであるから、係止具は何個でも設置できる。従って、開口部の開口高さを調整できる。勿論、錠用スラットはどの位置に取り付けてもよいから、錠の位置、即ち、操作する位置は任意の高さにできる。この他、係止体の数も限定されないから、係止体を複数設けて複重の施錠も可能である。
【００３３】
又、係止体が係止具の下に回り込む施錠動作のときは係止体だけが動作するものであるから、バネの付勢力は小さくてよく、乗り越え時の抵抗は少なくて済み、操作荷重も低減する。更に、操作板は、パネルの長手方向全長に亘って存在するから、左右どの位置であっても操作できる。
【００３４】
この他、錠用スラットより下方のスラットに、スラットの伸び縮みで出没する通風孔を形成しておけば、通風孔から風や光を取り入れたり、或いは遮断したりすることが任意にできる。
【図面の簡単な説明】
【図１】
本発明の一例を示すシャッターの錠装置の要部斜視図である。
【図２】
本発明の一例を示すシャッターの錠装置の要部裏面図である。
【図３】
図２のＡーＡ断面図である。
【図４】
本発明の一例を示すシャッターの裏面図である。
【図５】
本発明の一例を示すシャッターの側面図である。
【図６】
本発明の一例を示すシャッターの裏面図である。
【図７】
本発明の一例を示すシャッターの作動状態の要部断面図である。
【図８】
本発明の一例を示すシャッターの作動状態の要部断面図である。
【図９】
本発明の一例を示すシャッターの作動状態の要部断面図である。
【図１０】
本発明の一例を示すシャッターの作動状態の要部断面図である。
【図１１】
本発明の一例を示すシャッターに抜け止めを施した例の要部斜視図である。
【図１２】
本発明の一例を示すシャッターに抜け止めを施した例の断面平面図である。
【図１３】
本発明の一例を示すシャッターに抜け止めを施した例の要部斜視図である。
【図１４】
本発明の一例を示すシャッターに抜け止めを施した例の断面平面図である。
【図１５】
本発明の一例を示すシャッターに抜け止めを施した例の要部斜視図である。
【図１６】
本発明の一例を示すシャッターに抜け止めを施した例の要部斜視図である。
【図１７】
本発明の一例を示す抜け止め工作を施したシャッターの錠装置の要部斜視図である。
【図１８】
本発明の一例を示す抜け止め工作を施したシャッターの錠装置の要部側面図である。
【図１９】
従来例のシャッターの錠装置の裏面図である。
【図２０】
従来例のシャッターの錠装置の要部斜視図である。
【符号の説明】
１０  スラット
１０ｃ通風孔
１２  シャッターパネル
１６  ガイドレール
１８  係止具
１８ａ斜辺部
１８ｂ水平部
１８ｄ係止ピン
２０  錠用スラット
２２  係止体
２２ａ回動軸部
２２ｂ係止部
２２ｃ当接部
２２ｆ斜辺部
２２ｇ水平部
２２ｈ突起
２４  操作板
２６  ブラケット
２８  バネ
３０  支持軸